(57)【要約】【課題】半導体レーザ装置の小型化を図ると共に、信頼性の高い半導体レーザ装置を提供する。【解決手段】半導体レーザ装置１１は、半導体レーザ素子２２、受光素子基板２３、受光素子２５、回路基板２６、及び光学部品３０を備える。受光素子基板２３は、フリップチップ工法により回路基板２６に実装される。回路基板２６の内部には多層配線が形成され、回路基板２６の下面の端部には外部接続電極２７が配置される。受光素子基板２３の上面では、回路基板２６の開口部２４に臨む受光領域に受光素子２５が、受光領域の内側に半導体レーザ素子２２が配置される。回路基板２６を挟んで受光素子基板２３の上面と対向する側では、ホログラム領域２９を有する光学部品３０が接着剤３１によって回路基板２６上に固定される。このように、半導体レーザ装置１１では、受光素子基板２３が封止用樹脂３２、光学部品３０、及び接着剤３１によって外部の環境から保護される。【選択図】図２
2005268443.tif 000002
【特許請求の範囲】
【請求項１】
開口部を有する回路基板と、
上記開口部に受光領域が臨むようにフリップチップ工法により上記回路基板に実装され、封止用樹脂によって上記回路基板に封止された受光素子基板と、
上記開口部に臨むように上記受光素子基板上に実装された半導体レーザ素子と、
上記回路基板を挟んで上記受光素子基板と対向する側の回路基板上に上記開口部を覆うように固定された透光性部材とを備え、
上記回路基板には多層配線が形成され、且つその端部に上記受光素子基板からの信号の入出力を行う電極端子が配置されており、
上記開口部は、上記封止用樹脂と上記透光性部材とによって外部から仕切られた空間となっている半導体レーザ装置。
【請求項２】
請求項１に記載の半導体レーザ装置において、
上記透光性部材には、透過光を回折させるホログラム領域が設けられ、
上記ホログラム領域で回折した透過光が上記回路基板の開口部を通って上記受光素子基板の受光領域へ入射するように構成されている半導体レーザ装置。
【請求項３】
請求項１又は２に記載の半導体レーザ装置において、
上記回路基板には、上記透光性部材を囲む凸部が透光性部材と間隙を持って形成され、
上記凸部と上記透光性部材との間隙に透光性部材を上記回路基板上に固定する接着剤が充填されている半導体レーザ装置。
【請求項４】
請求項１，２，又は３に記載の半導体レーザ装置において、
上記回路基板には、上記受光素子基板を囲む凸部が受光素子基板と間隙を持って形成され、
上記凸部の内側に上記封止用樹脂が充填されている半導体レーザ装置。
【請求項５】
請求項４に記載の半導体レーザ装置において、
上記封止用樹脂は、シリコン熱伝導性ゲルである半導体レーザ装置。
【請求項６】
請求項４又は５に記載の半導体レーザ装置において、
上記凸部の先端面に上記電極端子が配置されている半導体レーザ装置。
【請求項７】
請求項１乃至６の何れか１つに記載の半導体レーザ装置において、
上記回路基板上にチップ部品が搭載されている半導体レーザ装置。
【発明の詳細な説明】
【技術分野】
【０００１】
本発明は、光情報処理、光計測、及び光通信等に使用される半導体レーザ装置及び光ピックアップ装置に関する。
【背景技術】
【０００２】
半導体レーザ装置に関し、近年では、半導体レーザ素子に加え、電流電圧変換回路や演算回路を含む受光素子基板を収納するものが開発されている。この半導体レーザ装置では、より多種の高い誤差の検出に対応するために信号配線が増加しつつある一方、装置の小型化が要望されている。半導体レーザ装置において、半導体レーザ素子はより高速での記録に対応するために高出力化が要望され、受光素子基板は高速応答が要望されている。そして、これらの要望が具現化されるにつれ、半導体レーザ素子や受光素子基板の消費電力は次第に大きくなってきている。
【０００３】
従来の半導体レーザ装置としては、例えば特許文献１に開示されているように、樹脂モールド型の半導体レーザ装置１００が知られている。図１０に示すように、この半導体レーザ装置１００では、樹脂製の枠体１０１内に受光素子を有する受光素子基板１０２が設けられている。受光素子基板１０２の上面には、半導体レーザ素子１０３が実装されている。受光素子基板１０２は、水平方向に延びるリード１０４の基台搭載部１０５上に搭載されており、ワイヤ１０６によってリード１０４と接続されている。枠体１０１の上面には、受光素子基板１０２を覆うようにホログラム領域１０８を有する光学部品１０７が搭載されている。この光学部品１０７は、接着剤１０９によって枠体１０１の上面に固定されている。
【０００４】
受光素子基板１０２上の半導体レーザ素子１０３から光記録媒体に向けて上方へ出射された出射光１１０は、光学部品１０７を透過して半導体レーザ装置１００の外部へ出射される。光記録媒体上で反射された反射光１１１は、半導体レーザ装置１００へ入射し、光学部品１０７のホログラム領域１０８を透過する際に回折される。回折された反射光１１１は、受光素子基板１０２の受光素子へ入射して光電変換され、ワイヤ１０６を介してリード１０４から信号出力として外部へ取り出される。
【０００５】
また、従来より、発光装置と受光装置とを組み合わせて構成される半導体レーザ装置も知られている。このうち受光装置としては、例えば特許文献２に開示されているものが知られている。図１１に示すように、受光装置１２０において、窓穴を有するテープ１２１の下面には、窓穴の両側に設けられるリード１２２を介して窓穴を覆うように受光素子１２３が接着されている。テープ１２１の上面には、窓穴の周域に紫外線硬化樹脂接着剤１２４が塗布され、窓穴を覆うように透光板１２５が接着されている。受光素子１２３と透光板１２５の間の部分には、透明樹脂１２６が充填されている。受光装置１２０への入射光は、透光板１２５を透過して受光素子１２３へ入射し、光電変換された後にリード１２２から信号出力として外部へ取り出される。
【特許文献１】特開平６−２０３４０３号公報
【特許文献２】特開平４−１３９７６８号公報
【発明の開示】
【発明が解決しようとする課題】
【０００６】
しかしながら、上記特許文献１の半導体レーザ装置１００では、受光素子基板１０２とリード１０４との配線をワイヤボンディングにより行っている。このため、枠体１０１内においてワイヤ１０６の占める空間が大きくなり、枠体１０１が大型化するという問題がある。そして、電極端子の数が増加するにつれ、枠体１０１が更に大型化するという問題がある。
【０００７】
また、リード１０４により作製される電極端子の端子ピッチは、リード１０４の厚みに依存する。小型の半導体レーザ装置１００を実現するには、端子ピッチを狭める必要があり、リード１０４の厚さを薄くしなければならない。ところが、厚さの薄いリード１０４は強度が弱く樹脂モールド時の樹脂の流れにより変形して互いに接触するおそれがあり、変形を防ぐためにその厚さをある程度以上に確保する必要がある。従って、上記半導体レーザ装置１００では、端子ピッチを一定長さ以下に狭めることができず、その小型化に限界がある。また、成型された樹脂パッケージでの狭い端子ピッチは、既存の実装技術では実装困難となるため、実装技術の開発も必要となる。
【０００８】
更に、上記半導体レーザ装置１００は、光ピックアップ装置の光学基台等にその基台搭載部１０５を搭載した状態で使用される。ここで、一般に、受光素子基板１０２と基台搭載部１０５との間には銀ペーストが塗布される。半導体レーザ装置１００の動作時に半導体レーザ素子１０３で生じる熱は、半導体レーザ素子１０３が周りを光学部品１０７と枠体１０１とに囲まれているために、受光素子基板１０２から基板搭載部１０５を通じて光学基台等へ放熱される。ところが、受光素子基板１０２と基台搭載部１０５との間に塗布される銀ペーストは非常に放熱性が悪く、上記半導体レーザ装置１００の構成では半導体レーザ素子１０３で生じる熱を充分に放熱できないという問題がある。
【０００９】
一方、上記特許文献２の受光装置１２０の構造を半導体レーザ装置に適用した場合には、受光素子１２３の上面に半導体レーザ素子が実装される。ここで、受光素子１２３の上面は、透明樹脂１２６で覆われている。つまり、受光素子１２３の上面に半導体レーザ素子を実装した場合には、半導体レーザ素子の上面が透明樹脂１２６で覆われることとなる。この透明樹脂１２６は溶融した状態で充填されるため、溶融した高温の透明樹脂１２６が有する残存応力によって半導体レーザ素子が劣化するおそれがある。
【００１０】
また、半導体レーザ素子の上面が透明樹脂１２６で覆われるために、直径約１０μｍ以内の範囲に数ｍＷ以上の光出力が閉じ込められることとなり、高い熱や高い光密度により半導体レーザ素子が劣化して黄変や熱変形を起こし、光学特性が著しく損なわれるという問題がある。更には、半導体レーザ素子の上面が透明樹脂１２６で覆われるために、半導体レーザ素子で生じる熱の放熱性が悪いという問題もある。
【００１１】
本発明は、かかる点に鑑みてなされたものであり、その目的とするところは、半導体レーザ装置の小型化を図ると共に、信頼性の高い半導体レーザ装置を提供することにある。
【課題を解決するための手段】
【００１２】
第１の発明は、開口部を有する回路基板と、上記開口部に受光領域が臨むようにフリップチップ工法により上記回路基板に実装され、封止用樹脂によって回路基板に封止された受光素子基板と、上記開口部に臨むように上記受光素子基板上に実装された半導体レーザ素子と、上記回路基板を挟んで上記受光素子基板と対向する側の回路基板上に上記開口部を覆うように固定された透光性部材とを備え、上記回路基板には多層配線が形成され、且つその端部に上記受光素子基板からの信号の入出力を行う電極端子が配置されており、上記開口部は、上記封止用樹脂と上記透光性部材とによって外部から仕切られた空間となっているものである。
【００１３】
これにより、従来のワイヤボンディングによる配線を用い、受光素子基板を枠体及び光学部品により外部の環境から保護していた構造に対し、無駄な空間を削減することができる。また、枠体内に受光素子基板を収納する形態を取らないために、回路基板及び光学部品を受光素子基板の大きさと概ね等しい大きさに形成することが可能となる。また、リードを等間隔ごとに配置する必要がなく、電極端子を受光素子基板の端部に千鳥状に配置することが可能となる。従って、半導体レーザ装置を小型化することができ、量産性に優れた半導体レーザ装置を提供することができる。
【００１４】
また、回路基板の開口部を外部から仕切られた空間とすることで、半導体レーザ素子で生じる熱や高い光密度による光学特性の劣化を防ぐことができ、信頼性の高い半導体レーザ装置を提供することができる。更には、半導体レーザ装置を光ピックアップ装置の光学基台等に搭載する場合に、半導体レーザ素子で生じる熱を受光素子基板を通じて光学基台等へ確実に放熱することができる。従って、半導体レーザ素子で生じる熱を効率良く放熱し得る半導体レーザ装置を提供することができる。
【００１５】
第２の発明は、第１の発明において、上記透光性部材には、透過光を回折させるホログラム領域が設けられ、上記ホログラム領域で回折した透過光が上記回路基板の開口部を通って上記受光素子基板の受光領域へ入射するように構成されるものである。これにより、受光素子基板への入射光をホログラム領域にて回折させて受光領域で検出し、信号出力として回路基板の電極端子から取り出すこと等が可能となる。従って、光ピックアップ装置等に用いられて優れた性能を発揮する半導体レーザ装置を提供することができる。
【００１６】
第３の発明は、第１又は第２の発明において、上記回路基板には、上記透光性部材を囲む凸部が透光性部材と間隙を持って形成され、上記凸部と上記透光性部材との間隙に透光性部材を上記回路基板上に固定する接着剤が充填されるものである。これにより、接着剤が接着する部分が複雑で入り組んだ形状となり、受光素子基板を外部の環境から確実に保護することができる。従って、より信頼性の高い半導体レーザ装置を提供することができる。
【００１７】
第４の発明は、第１、第２、又は第３の発明において、上記回路基板には、上記受光素子基板を囲む凸部が受光素子基板と間隙を持って形成され、上記凸部の内側に上記封止用樹脂が充填されるものである。これにより、封止用樹脂が接する部分が複雑で入り組んだ形状となり、受光素子基板を外部の環境からより一層確実に保護することができる。従って、より一層信頼性の高い半導体レーザ装置を提供することができる。
【００１８】
第５の発明は、第４の発明において、上記封止用樹脂は、シリコン熱伝導性ゲルであるものである。ここで、従来には、受光素子基板と基台搭載部との間に銀ペーストが塗布されていたため、半導体レーザ素子で生じる熱を充分に放熱できないという問題があった。それに対し、この発明では、半導体レーザ素子で生じた熱をシリコン熱伝導性ゲルを通じて確実に放熱することができ、光学特性の劣化を確実に防いでより一層信頼性の高い半導体レーザ装置を提供することができる。
【００１９】
第６の発明は、第４又は第５の発明において、上記凸部の先端面に上記電極端子が配置されるものである。これにより、回路基板を実装する基板上に回路基板を容易に実装することができ、半導体レーザ装置を容易に組み立てることができる。
【００２０】
第７の発明は、第１乃至第６の何れか１つの発明において、上記回路基板上にチップ部品が搭載されるものである。これにより、回路基板の周辺にチップ部品が配置され、このために実装面積が拡大して受光素子とチップ部品とを結ぶ配線の長さが長くなっていた従来の半導体レーザ装置に対し、受光素子基板とチップ部品とを結ぶ配線の長さを短くする事ができ、小型で且つ電気的特性に優れた半導体レーザ装置を提供することができる。
【発明の効果】
【００２１】
本発明の半導体レーザ装置によれば、受光素子基板をフリップチップ工法により上記回路基板に実装し、電極端子を回路基板の端部に配置することで、半導体レーザ装置を小型化することができ、量産性に優れた半導体レーザ装置を提供することができる。また、回路基板の開口部を外部から仕切られた空間とすることで、光学特性の劣化を防いで信頼性の高い半導体レーザ装置を提供することができる。更には、半導体レーザ装置を光ピックアップ装置の光学基台等に搭載する場合に、半導体レーザ素子で生じる熱を受光素子基板を通じて光学基台等へ確実に放熱することができる。従って、半導体レーザ素子で生じる熱を効率良く放熱し得る半導体レーザ装置を提供することができる。
【発明を実施するための最良の形態】
【００２２】
以下、本発明の実施形態を図面に基づいて詳細に説明する。
【００２３】
（第１の実施形態）
第１の実施形態は、本発明に係る半導体レーザ装置である半導体レーザ装置１１を光ピックアップ装置１０に適用したものである。図１に示すように、本実施形態の光ピックアップ装置１０は、半導体レーザ装置１１と、コリメータレンズ１４と、レーザミラー１５と、対物レンズ１６とを備えている。
【００２４】
−半導体レーザ装置の構成−
上記半導体レーザ装置１１の構成について、図２及び図３を参照しながら説明する。
【００２５】
図２に示すように、本実施形態の半導体レーザ装置１１は、面発光型の半導体レーザ素子２２と、受光素子基板２３と、受光素子２５と、回路基板２６と、透光性部材である光学部品３０とを備えている。
【００２６】
上記回路基板２６は、多層プリント配線基板からなり、中央部に開口部２４を有している。上記受光素子基板２３は、フリップチップ工法により開口部２４を覆うように回路基板２６に実装されている。
【００２７】
具体的に、図３に示すように、上記回路基板２６の下面には、その受光素子基板２３の上面と対向する部分に内部接続電極５１が配置されている。一方、受光素子基板２３の上面には、その回路基板２６の下面と対向する部分にパッド電極５０が配置されている。そして、回路基板２６の内部接続電極５１は、金バンプ５２を介して受光素子基板２３のパッド電極５０と電気的に接続されている。また、図２に示すように、回路基板２６の下面と受光素子基板２３の上面との間にはアンダーフィル用樹脂４１が設けられており、このアンダーフィル用樹脂４１によって回路基板２６と受光素子基板２３とが機械的に接続されている。更に、受光素子基板２３は、その下面及び側面が半導体用液状封止樹脂（住友ベークライト社製、スミレジンエクセルＣＲＰシリーズ（ＣＲＰ−３１５０，ＣＲＰ−３９００，ＣＲＰ−３３００ＮＨ等））等からなる封止用樹脂３２に覆われており、この封止用樹脂３２によって回路基板２６の下面側に封止されている。
【００２８】
上記回路基板２６の内部には多層配線が形成されており、上記回路基板２６の下面の端部にはフレキシブルプリント基板２８に接続される電極端子としての外部接続電極２７が配置されている。この多層配線は、回路基板２６の内部接続電極５１と外部接続電極２７とに接続している。そして、受光素子基板２３からの信号の入出力は、回路基板２６の多層配線を通じて外部接続電極２７からフレキシブルプリント基板２８を介して行われる。
【００２９】
上記受光素子基板２３では、その上面中央部に半導体レーザ素子２２が実装されている。上記受光素子基板２３の上面には受光素子２５が配置されており、受光素子２５が配置される領域が受光領域を構成している。この受光領域は、回路基板２６の開口部２４に臨む姿勢となっている。また、半導体レーザ素子２２は、受光領域の内側に設けられている。すなわち、この半導体レーザ素子２２及び受光素子２３は、回路基板２６の開口部２４の外周よりも内側に位置している。
【００３０】
上記回路基板２６を挟んで受光素子基板２３の上面と対向する側には、ホログラム領域２９を有する光学部品３０が設けられている。この光学部品３０は、回路基板２６の開口部２４を覆うように回路基板２６上に搭載されており、エポキシ樹脂等の紫外線硬化型の接着剤３１によって回路基板２６上に固定されている。尚、光学部品３０を回路基板２６上に固定するための接着剤３１は、エポキシ樹脂等の紫外線硬化型の接着剤に限らず、エポキシ樹脂及びオキセタン樹脂等のカチオン型の接着剤や、アクリル樹脂及びエンチオール樹脂等のラジカル硬化型の接着剤であってもよい。
【００３１】
このように、上記半導体レーザ装置１１では、受光素子基板２３が封止用樹脂３２、光学部品３０、及び紫外線硬化型の接着剤３１によって外部の環境から保護されている。
【００３２】
−半導体レーザ装置の製造方法−
上記半導体レーザ装置１１の製造方法について、図３、図４、及び図５を参照しながら説明する。
【００３３】
図４に示すように、上記半導体レーザ装置１１を製造するために、フレキシブルプリント基板２８と、半導体レーザ素子２２と、受光素子基板２３と、回路基板２６と、光学部品３０とを用意する。
【００３４】
上記フレキシブルプリント基板２８は薄板状であり、その一部が切り欠かれている。上記受光素子基板２３は矩形板状であり、フレキシブルプリント基板２８の切り欠かれた部分に挿通可能となっている。上記回路基板２６は矩形板状であり、受光素子基板２３が搭載可能な大きさである。また、上記回路基板２６は、中央部に光を通過させるための矩形状の開口部２４を有している。上記光学部品３０は、透明な材質によって構成されており、円柱状に窪んだ上面中央の部分がホログラム領域２９となっている。
【００３５】
図５に示すように、複数の半導体レーザ素子２２と複数の受光素子基板２３とを用意し、半導体レーザ素子２２を各受光素子基板２３の上面に１つずつ実装してから各受光素子基板２３をフリップチップ工法により多層配線基板４０に実装する。すなわち、図３に示すように、回路基板２６に分離される領域を多数有する多層配線基板４０の下面に配置された内部接続電極５１と、各受光素子基板２３の上面に配置されたパッド電極５０とを金バンプ５２を介して電気的に接続する。
【００３６】
多層配線基板４０の各回路基板２６に分離される領域の下面と各受光素子基板２３の上面との間には、アンダーフィル用樹脂４１が充填されている。各受光素子基板２３を多層配線基板４０に実装した後、封止用樹脂３２を用いて各受光素子基板２３を封止する。
【００３７】
続いて、多層配線基板４０をダイシング等により個々の回路基板２６に分離し、図４に示すように、回路基板２６上に回路基板２６の開口部２４を覆うように光学部品３０を搭載する。そして、光学部品３０のホログラム領域２９からの回折光を受光素子２５に受光させてこの受光素子２５の信号出力を監視し、光学部品３０の位置を回路基板２６上で２次元調整して最適となる光学部品３０の位置決めを行う。光学部品３０の位置が決まると、光学部品３０の側面と回路基板２６の上面とに紫外線硬化型の接着剤３１を塗布し、光学部品３０を回路基板２６上に固定する。そして、フレキシブルプリント基板２８の切り欠かれた部分を覆うように、回路基板２６をフレキシブルプリント基板２８上に実装する。
【００３８】
−半導体レーザ装置の動作−
上記半導体レーザ装置１１の動作について、図１及び図２を参照しながら説明する。
【００３９】
図２に示すように、受光素子基板２３上の半導体レーザ素子２２から上方へ出射された出射光１３は、回路基板２６の開口部２４を通り抜け、光学部品３０のホログラム領域２９を透過して半導体レーザ装置１１の外部へ出射される。図１に示すように、半導体レーザ装置１１からの出射光１３は、コリメータレンズ１４へ入射し、平行光となる。コリメータレンズ１４からの出射光１３は、レーザミラー１５上で反射して略４５°に方向を変換された後、対物レンズ１６へ入射する。対物レンズ１６からの出射光１３は、光記録媒体１７の記録面上へ集光される。
【００４０】
光記録媒体１７上で反射された反射光１８は、対物レンズ１６、レーザミラー１５、及びコリメータレンズ１４をこの順に通過して半導体レーザ装置１１へ入射する。図２に示すように、半導体レーザ装置１１へ入射した反射光１８は、光学部品３０のホログラム領域２９を透過する際に回折される。回折された反射光１８は、回路基板２６の開口部２４を通り抜け、受光素子基板２３の受光素子２５へ入射する。受光素子２５において、反射光１８は光電変換され、電流電圧変換や演算が行われた後に受光素子基板２３の上面に配置されたパッド電極５０へと出力される。
【００４１】
上述のように、受光素子基板２３上のパッド電極５０は、金バンプ５２を介して回路基板２６上の内部接続電極５１と接続されている。受光素子基板２３上のパッド電極５０へ出力された電気信号は、回路基板２６上の内部接続電極５１から回路基板２６内の多層配線へと流れ、回路基板２６上の外部接続電極２７から信号出力として外部へ取り出されて誤差信号や情報記録信号として利用される。
【００４２】
−第１の実施形態の効果−
本実施形態によれば、従来のワイヤボンディングによる配線を用い、受光素子基板を枠体及び光学部品により外部の環境から保護していた構造に対し、無駄な空間を削減することができる。また、枠体内に受光素子基板を収納する形態を取らないために、回路基板２６及び光学部品３０を受光素子基板２３の大きさと概ね等しい大きさに形成することが可能となる。また、リードを等間隔ごとに配置する必要がなく、外部接続電極２７を受光素子基板２３の端部に千鳥状に配置することが可能となる。従って、半導体レーザ装置１１を小型化することができ、量産性に優れた半導体レーザ装置１１を提供することができる。また、回路基板２６の開口部２４を外部から仕切られた空間とすることで、半導体レーザ素子２２で生じる熱や高い光密度による光学特性の劣化を防ぐことができ、信頼性の高い半導体レーザ装置１１を提供することができる。
【００４３】
（第２の実施形態）
第２の実施形態は、上記第１の実施形態の半導体レーザ装置１１の構成を一部変更したものである。ここでは、本実施形態について、上記第１の実施形態と異なる点を説明する。
【００４４】
図６に示すように、本実施形態の半導体レーザ装置１１では、回路基板２６の端部の上面側に、間隙を持って光学部品３０の下部を囲む凸部４２が形成されている。尚、この凸部４２は、回路基板２６の一部を構成している。光学部品３０の外側と凸部４２の内側との間隙には、紫外線硬化型の接着剤３１が充填されている。
【００４５】
ここで、第１の実施形態と同様に、光学部品３０は、紫外線硬化型の接着剤３１によって回路基板２６上に固定されている。紫外線硬化型の接着剤３１を光学部品３０の外側と凸部４２の内側との間隙に流し込む際において、紫外線硬化型の接着剤３１は、凸部４２によって外部へ流出することを規制される。
【００４６】
また、本実施形態において、紫外線硬化型の接着剤３１は、光学部品３０の側面及び回路基板２６の上面だけでなく、回路基板２６の凸部４２の内壁面にも接着している。このため、上記実施形態１よりも紫外線硬化型の接着剤３１が接着する部分が複雑で入り組んだ形状となり、受光素子基板２３を外部の環境から確実に保護することができる。従って、より信頼性の高い半導体レーザ装置１１を提供することができる。
【００４７】
尚、光ピックアップ装置１０を組み立てる際には、回路基板２６の凸部４２を光ピックアップ装置１０の光学基台、或いは中継用の部品等に勘合させて半導体レーザ装置１１の位置決めを行えばよい。回路基板２６に凸部４２を設けることにより、光ピックアップ装置１０を容易に組み立てることができる。
【００４８】
また、回路基板２６の凸部４２を回路基板２６と同じ材料で一体に作製してもよいし、異なる材料で別途作製してもよい。例えば、樹脂材料を用いて凸部４２の作製を別途行えば、一体に作製するよりも外形精度の高い回路基板２６を作製することができる。また、凸部４２の形状は、嵌合させる部品の形状に合わせて適切なものを選択すればよい。例えば、円形の円周部を凸部４２として残した形状とすることにより、回路基板２６を回転調整が可能な構成としてもよい。
【００４９】
（第３の実施形態）
第３の実施形態は、上記第２の実施形態の半導体レーザ装置１１の構成を一部変更したものである。ここでは、本実施形態について、上記第２の実施形態と異なる点を説明する。
【００５０】
図７に示すように、本実施形態の半導体レーザ装置１１では、回路基板２６の端部の上面側に第１の凸部４２が形成され、回路基板２６の端部の下面側に間隙を持って受光素子基板２３を囲む第２の凸部４３が形成されている。尚、第１の凸部４２は上記実施形態２の凸部を構成しており、第２の凸部４３は回路基板２６の一部を構成している。第２の凸部４３の先端面には、外部接続電極２７が配置されている。
【００５１】
第２の凸部４３の内側には、封止用樹脂３２が充填されている。受光素子基板２３は、その下面及び側面が封止用樹脂３２に覆われており、この封止用樹脂３２によって回路基板２６の下面側に封止されている。封止用樹脂３２を第２の凸部４３の内側に流し込む際において、封止用樹脂３２は、第２の凸部４３によって外部へ流出することを規制される。
【００５２】
本実施形態において、封止用樹脂３２は、受光素子基板２３及び回路基板２６の下面だけでなく、回路基板２６の第２の凸部４３の内壁面にも接している。このため、上記実施形態２よりも封止用樹脂３２が接する部分が複雑で入り組んだ形状となり、受光素子基板２３を外部の環境からより一層確実に保護することができる。従って、より一層信頼性の高い半導体レーザ装置１１を提供することができる。また、本実施形態では、第２の凸部４３の先端面に外部接続電極２７が配置されている。このため、回路基板２６をフレキシブルプリント基板２８上に容易に実装することができ、半導体レーザ装置１１を容易に組み立てることができる。
【００５３】
尚、回路基板２６の第２の凸部４３を回路基板２６と同じ材料で一体に作製してもよいし、異なる材料で別途作製してもよい。例えば、樹脂材料を用いて第２の凸部４３の作製を別途行えば、一体に作製するよりも外形精度の高い回路基板２６を作製することができる。
【００５４】
（第４の実施形態）
本発明の実施形態４は、上記実施形態３の半導体レーザ装置１１の構成を変更したものである。ここでは、本実施形態について、上記実施形態３と異なる点を説明する。
【００５５】
図７に示すように、本実施形態の半導体レーザ装置１１では、第２の凸部４３の内側にペースト状のシリコン熱伝導性ゲル４５（ジェルテック社製、熱伝導性ゲルＤＰ−１００等）が充填されている。つまり、本実施形態では、受光素子基板２３の下面及び側面がシリコン熱伝導性ゲル４５によって覆われている。第２の凸部４３の下面には、受光素子基板２３を覆うように放熱板４６が取り付けられている。このように、受光素子基板２３は、周りを回路基板２６と放熱板４６とに囲まれており、受光素子基板２３と回路基板２６と放熱板４６とによって形成される空間にシリコン熱伝導性ゲル４５が充填されている。
【００５６】
半導体レーザ装置１１の動作時には、半導体レーザ素子２２が発熱する。一方、本実施形態では、第２の凸部４３の内側にシリコン熱伝導性ゲル４５が充填されている。半導体レーザ素子２２で生じた熱は、シリコン熱伝導性ゲル４５を通じて放熱板４６へ伝達し、光ピックアップ装置１０の光学基台等を通じて該光ピックアップ装置１０の外部へと放熱される。また、シリコン熱伝導性ゲル４５は、電気を絶縁する性質を有すると共に密着性に優れており、電気絶縁性が確保されるだけでなく受光素子基板２３への空気の流入も阻止される。
【００５７】
本実施形態では、受光素子基板２３の下面及び側面がシリコン熱伝導性ゲル４５で覆われている。ここで、従来には、受光素子基板と基台搭載部との間に銀ペーストが塗布されていたため、半導体レーザ素子で生じる熱を充分に放熱できないという問題があった。それに対し、本実施形態では、半導体レーザ素子２２で生じた熱をシリコン熱伝導性ゲル４５を通じて確実に放熱することができ、光学特性の劣化を確実に防いでより一層信頼性の高い半導体レーザ装置１１を提供することができる。
【００５８】
−第４の実施形態の変形例−
上記第４の実施形態の半導体レーザ装置１１の構成を一部変更してもよい。図８に示すように、本変形例の半導体レーザ装置１１では、放熱板４６の下面に放熱フィン４７が取り付けられている。この放熱フィン４７には、空気と接触する部分の面積を拡大させるために、多数の凸凹が設けられている。半導体レーザ素子２２で生じた熱は、シリコン熱伝導性ゲル４５を通じて放熱板４６へ伝達し、放熱フィン４７から空気中へ放熱される。
【００５９】
（その他の実施形態）
−第１変形例−
上記実施形態１〜４では、面発光型の半導体レーザ素子２２が受光素子基板２３上に実装されている。これに限らず、レーザ光が受光素子基板２３から上方へ出射される構成であれば、半導体レーザ素子２２と受光素子基板２３とを一体に形成してもよい。また、受光素子基板２３上にエッチング等により反射ミラーを形成して、或いは受光素子基板２３上にミラーやプリズム等を配置して半導体レーザ素子２２からの出射光１３を上方に出射する構成であってもよい。
【００６０】
−第２変形例−
上記本実施形態１〜４において、回路基板２６上にコンデンサ、インダクタ、及び抵抗等のチップ部品（図示せず）を搭載してもよい。
【００６１】
ここで、従来の半導体レーザ装置では、回路基板の周辺にチップ部品が配置されており、このために実装面積が拡大して受光素子基板とチップ部品とを結ぶ配線の長さが長くなっていた。
【００６２】
これに対し、回路基板２６上にチップ部品を搭載すれば、受光素子基板２３とチップ部品とを結ぶ配線の長さを短くする事ができ、小型で且つ電気的特性に優れた半導体レーザ装置１１を提供することができる。また、回路基板２６上に搭載可能であれば、コンデンサ、インダクタ、及び抵抗等以外にも、例えば高周波重畳回路やレーザ駆動回路等を回路基板２６上に搭載してもよい。
【００６３】
−第３変形例−
上記実施形態１〜４では、受光素子基板２３を回路基板２６に実装した後、この回路基板２６をフレキシブルプリント基板２８上に実装するようにしたが、フレキシブルプリント基板２８を回路基板２６と一体に作製してもよい。このような構成とすれば、回路基板２６とフレキシブルプリント基板２８とを接続する工程が不要となり、より一層信頼性の高い半導体レーザ装置１１を提供することができる。
【００６４】
−第４変形例−
上記実施形態１〜４では、半導体レーザ装置１１にホログラム領域２９を有する光学部品３０を用いたが、受光素子基板２３からの出射光１３を透過するものであれば、これに限らず、ホログラム領域２９を有しないカバーガラスやレンズを透光性部材として用いてもよい。半導体レーザ装置１１にレンズを用いる場合には、受光素子基板２３からの出射光１３の発散状態を制御することができる。尚、光ピックアップ装置１０において、ホログラム素子を対物レンズ１６側に設けることも可能である。そして、ホログラム素子を対物レンズ１６側に設けた場合には、半導体レーザ装置１１にはカバーガラスが用いられる。
【００６５】
尚、半導体レーザ装置１１にホログラム領域２９を有する光学部品３０を用いれば、受光素子基板２３からの出射光１３を複数の方向に分散させることができ、或いは光記録媒体１７からの反射光１８をホログラム領域２９により回折させて受光素子基板２３上の受光素子２５で検出し、電流電圧変換や演算を行った後に信号出力として回路基板２６の外部接続電極２７から取り出すこと等が可能である。これにより、光ピックアップ装置１０に用いられて優れた性能を発揮する半導体レーザ装置１１を提供することができる。
【産業上の利用可能性】
【００６６】
以上説明したように、本発明は、光情報処理、光計測、及び光通信等に使用される半導体レーザ装置及び光ピックアップ装置について有用である。
【図面の簡単な説明】
【００６７】
【図１】第１の実施形態に係る半導体レーザ装置を搭載する光ピックアップ装置の概略図である。
【図２】第１の実施形態に係る半導体レーザ装置の構造を示す概略断面図である。
【図３】第１の実施形態に係る半導体レーザ装置の要部拡大図である。
【図４】第１の実施形態に係る半導体レーザ装置の分解斜視図である。
【図５】第１の実施形態に係る半導体レーザ装置の製造方法を説明する図である。
【図６】第２の実施形態に係る半導体レーザ装置の構造を示す概略断面図である。
【図７】第３の実施形態に係る半導体レーザ装置の構造を示す概略断面図である。
【図８】第４の実施形態に係る半導体レーザ装置の構造を示す概略断面図である。
【図９】第４の実施形態の変形例に係る半導体レーザ装置の構造を示す概略断面図である。
【図１０】従来の半導体レーザ装置の構造を示す概略断面図である。
【図１１】従来の受光装置の構造を示す概略断面図である。
【符号の説明】
【００６８】
１０  光ピックアップ装置
１１  半導体レーザ装置
１３  出射光
１４  コリメータレンズ
１５  レーザミラー
１６  対物レンズ
１７  光記録媒体
１８  反射光
２２  半導体レーザ素子
２３  受光素子基板
２４  開口部
２５  受光素子
２６  回路基板
２７  外部接続電極
２８  フレキシブルプリント基板
２９  ホログラム領域
３０  光学部品
３１  紫外線硬化型の接着剤
３２  封止用樹脂
４０  多層配線基板
４１  アンダーフィル用樹脂
４２  第１の凸部
４３  第２の凸部
４５  シリコン熱伝導性ゲル
４６  放熱板
４７  放熱フィン
５０  パッド電極
５１  内部接続電極
５２  金バンプ
【図１】
2005268443.tif 000003
【図２】
2005268443.tif 000004
【図３】
2005268443.tif 000005
【図４】
2005268443.tif 000006
【図５】
2005268443.tif 000007
【図６】
2005268443.tif 000008
【図７】
2005268443.tif 000009
【図８】
2005268443.tif 000010
【図９】
2005268443.tif 000011
【図１０】
2005268443.tif 000012
【図１１】
2005268443.tif 000013